(57)【要約】      （修正有）【課題】内容器と中空の外容器をより強固に連結することができる飲料用容器を提供する。【解決手段】中空である外容器３，４、外容器の内側に収容される筒状の内容器５、外容器と内容器の間に収容される熱媒体、熱媒体よりも上方において外容器と内容器の間に挟まれるパッキン７を備える。外容器は、その上部には周方向全周に亘って半径方向内側へ突出する内向凸部４１ｂを備える。内容器は、外容器の半径方向内側に配置される内周壁５１、内周壁の上端から下方へ向かうと共に外容器の上部の半径方向外側に配置される第１口壁５３を備える。内周壁５１はその上部には周方向全周に亘って半径方向外側へ突出する外向凸部５１ｂを備える。第１口壁５３は、外容器をその半径方向外側に面状に重なり合う形態で挟むものである。内向凸部４１ｂと外向凸部５１ｂは、外向凸部が内向凸部の下側に嵌合する弾性を備える。【選択図】図２
0003201853.tif 000002
【実用新案登録請求の範囲】
【請求項１】
中空である外容器、外容器の内側に収容される筒状の内容器、外容器と内容器の間に収容される熱媒体、熱媒体よりも上方において外容器と内容器の間に挟まれるパッキンを備え、
外容器は、その上部には周方向全周に亘って半径方向内側へ突出する内向凸部を備え、
内容器は、外容器の半径方向内側に配置される内周壁、内周壁の上端から下方へ向かうと共に外容器の上部の半径方向外側に配置される第１口壁を備え、
内周壁はその上部には周方向全周に亘って半径方向外側へ突出する外向凸部を備え、
第１口壁は、外容器をその半径方向外側に重なり合う形態で挟むものであり、
内向凸部と外向凸部は、外向凸部が内向凸部の下側に嵌合する弾性を備えることを特徴とする飲料用容器。
【請求項２】
外容器は、第１口壁の半径方向内側に重なり合う下地となる下地部を備え、
下地部および第１口壁は、内向凸部の最も半径方向内側の部位よりも上方から下方にまで面状に重なり合っていることを特徴とする請求項１に記載の飲料用容器。
【請求項３】
下地部および第１口壁は、外向凸部の最も半径方向外側の部位よりも下方にまで面状に重なり合っていることを特徴とする請求項２に記載の飲料用容器。
【請求項４】
内向凸部の断面形状は内向きに突出するＶ字形状であることを特徴とする請求項１，２又は３記載の飲料用容器。
【請求項５】
外向凸部の断面形状は外向きに突出するＶ字形状であることを特徴とする請求項４記載の飲料用容器。
【請求項６】
内向凸部は、Ｖ字形状の断面形状の上側を構成する内向上片、Ｖ字形状の断面形状の下側を構成する内向下片を備え、
外向凸部は、Ｖ字形状の断面形状の上側を構成する外向上片、Ｖ字形状の断面形状の下側を構成する外向下片を備え、
外向下片と鉛直線とで形成される鋭角は、内向上片と鉛直線とで形成される鋭角よりも小さいことを特徴とする請求項５記載の飲料用容器。
【請求項７】
内容器は、内周壁の上部と第１口壁により形成される嵌合部を備え、
嵌合部は、下向きに開口するもので、その下部に外容器の上部を嵌合し、その高さ中間部にパッキンを半径方向の内外から挟む状態で収容し、その上部であってパッキンの上方に上方空間部を備えることを特徴とする請求項１、２、３、４、５又は６記載の飲料用容器。
【考案の詳細な説明】
【技術分野】
【０００１】
本考案は、内容器と、中空である外容器を備える飲料用容器に関する。
【背景技術】
【０００２】
飲料容器の一つとして、中空である外容器、外容器の内側に収容される筒状の内容器、外容器と内容器の間に収容される熱媒体、熱媒体よりも上方において外容器と内容器の間に挟まれるパッキンを備えるものが、特許文献１に開示されている。
【０００３】
この飲料用容器は、冷凍庫に入れて所定時間経過してから取り出し、その中にビールを注ぐことにより、ビールを冷たい温度で長時間維持することができる有用なものである。
【先行技術文献】
【特許文献】
【０００４】
【特許文献１】実用新案登録３１９８６９８号
【考案の概要】
【考案が解決しようとする課題】
【０００５】
ところでこの容器は、外容器の内側に内容器を差し込んで、互いを円周方向に回転させることにより、外容器と内容器を連結する構造である。詳しく言えば連結構造は、外容器の半径方向内側の全周に亘って雌ネジが形成され、内容器の半径方向外側の全周に亘って雄ネジが形成され、雄ネジと雌ネジとが螺合する構造である。したがってこの容器は、外容器の半径方向内側において、外容器と内容器を連結しているが、外容器の半径方向外側において、外容器と内容器を連結してない。
【０００６】
本考案は上記実情を考慮したもので、その目的は、外容器と内容器をより強固に連結することである。
【課題を解決するための手段】
【０００７】
本考案の飲料用容器は、中空である外容器、外容器の内側に収容される筒状の内容器、外容器と内容器の間に収容される熱媒体、熱媒体よりも上方において外容器と内容器の間に挟まれるパッキンを備える。外容器は、その上部には周方向全周に亘って半径方向内側へ突出する内向凸部を備える。内容器は、外容器の半径方向内側に配置される内周壁と、内周壁の上端から下方へ向かうと共に外容器の上部の半径方向外側に配置される第１口壁とを備える。内周壁はその上部には周方向全周に亘って半径方向外側へ突出する外向凸部を備え、第１口壁は外容器をその半径方向外側に重なり合う形態で挟むものである。内向凸部と外向凸部は、外向凸部が内向凸部の下側に嵌合する弾性を備える。
【０００８】
第１口壁は、外容器をその半径方向外側に重なり合う形態で挟み込むものであれば良いので、たとえば第１口壁と外容器とは内向き凸部の最も半径方向内側の部位よりも上方でだけ重なり合うものであっても良いが、外容器と内容器の連結状態をより強固にするには次のようにすることが望ましい。
すなわち、外容器は、第１口壁の半径方向内側に重なり合う下地となる下地部を備えるものとする。そのうえで下地部および第１口壁は、内向凸部の最も半径方向内側の部位よりも上方から下方にまで面状に重なり合っていることである。
【０００９】
また連結状態をより強固にするには次のようにすることが望ましい。
すなわち、下地部および第１口壁は、外向凸部の最も半径方向外側の部位よりも下方にまで面状に重なり合っていることである。
【００１０】
内向凸部の断面形状は内向きに突出するものであれば良く、例えば半円状であっても良いが、外容器と内容器を連結しやすくし、且つ連結状態を強固にするには、外向凸部を内向凸部に入れやすく、且つ抜け難くすればよく、それには次のようにすることが望ましい。
すなわち、内向凸部の断面形状を内向きに突出するＶ字形状にすることである。そのうえで更に望ましくは、外向凸部の断面形を外向きに突出するＶ字形状にすることである。  また外向凸部を内向き部により入れやすくするには、次のようにすることが望ましい。  すなわち、内向凸部は、Ｖ字形状の断面形状の上側を構成する内向上片、Ｖ字形状の断面形状の下側を構成する内向下片を備えるものとし、外向凸部は、Ｖ字形状の断面形状の上側を構成する外向上片、Ｖ字形状の断面形状の下側を構成する外向下片を備えるものとする。そのうえで外向下片と鉛直線とで形成される鋭角は、内向上片と鉛直線とで形成される鋭角よりも小さくすることである。
【００１１】
またパッキンは、熱媒体よりも上方において外容器と内容器の間に挟まれていれば良いので、たとえば飲料用容器の上端部において外容器と内容器の間に上下方向から挟まれるものであっても良いが、外容器を半径方向の内外から内容器で挟む力を利用して、パッキンを弾性変形しやすくし、外容器と内容器の間の密閉状態をより強固にするには次のようにすることが望ましい。
すなわち内容器は、内周壁の上部と第１口壁により形成される嵌合部を備えるものとし、嵌合部は、下向きに開口するもので、その下部に外容器の上部を収容し、その高さ中間部にパッキンを半径方向の内外から挟む状態で収容し、その上部であってパッキンの上方に上方空間部を備えることである。
【考案の効果】
【００１２】
本考案の飲料用容器によれば、外容器の半径方向の内側において内向凸部と外向凸部が弾性により嵌合し、外容器の半径方向の外側において第１口壁が重なり合っているので、外容器を半径方向の内外から内容器で挟んでいることになり、外容器と内容器の連結状態が強固なものとなる。
【００１３】
また下地部および第１口壁が、内向凸部の最も半径方向内側の部位よりも上方から下方にまで面状に重なり合っている飲料用容器によれば、外容器と内容器の連結状態がより強固なものとなる。
【００１４】
また下地部および第１口壁が、外向凸部の最も半径方向外側の部位よりも下方にまで面状に重なり合っている飲料用容器によれば、外容器と内容器の連結状態がより強固なものとなる。
【００１５】
また内向凸部の断面形状を内向きに突出するＶ字形状にしてある飲料用容器によれば、外向凸部が内向凸部に入れやすく、且つ抜け難くなる。
【００１６】
また外向凸部の断面形状を外向きに突出するＶ字形状にしてある飲料用容器によれば、外向凸部を内向凸部に入れやすく、且つ抜け難くなる。
【００１７】
また外向下片と鉛直線とで形成される鋭角が、内向上片と鉛直線とで形成される鋭角よりも小さい飲料用容器によれば、外向凸部を内向凸部の内側に入れやすくなる。
【００１８】
また内容器の嵌合部が、その上部であってパッキンの上方に上方空間部を備える飲料用容器によれば、外容器と内容器を嵌合させるときにパッキンが潰れやすくなり、パッキンによる外容器と内容器の密閉状態がより強固なものとなり、熱媒体が漏れにくくなる。
【図面の簡単な説明】
【００１９】
【図１】本考案の飲料容器の第１実施形態を示す全体の断面図である。
【図２】本考案の飲料容器の第１実施形態を示す要部であるＡ部の拡大断面図である。
【図３】Ａ部に相当する部分を分解した断面図である。
【考案を実施するための形態】
【００２０】
本考案の第一実施形態の飲料用容器１は図１に示すように三重壁構造であり、中空つまり内部に第１空間部２ａを備える外容器２、外容器２の内側に収容されると共に外容器２の上部に連結される内容器５、外容器２と内容器５の間の第２空間部６ａに収容される熱媒体６、外容器２と内容器５の間に挟まれるパッキン７、外容器２の底に固定される底蓋８を備える。
【００２１】
外容器２は二重壁構造であり、第１，第２外容器３，４を備え、第１外容器３の内側に第２外容器４を収容する形態で一体化したものである。第１，第２外容器３，４はいずれも金属板を加工したもので、弾性を有する。また第１外容器３は、上下方向に延長する円筒状の第１外周壁３１、第１外周壁３１の下端を塞ぐと共に平面視円形の第１外底壁３２を備える。第２外容器４は、上下方向に延長すると共に第１外周壁３１の半径方向内側に同心状に配置される円筒状の第２外周壁４１、第２外周壁４１の下端を塞ぐと共に平面視円形の第２外底壁４２を備える。
【００２２】
第１，第２外周壁３１，４１は、いずれも全体的に下方へ向かうにつれて小径となる形状である。また第１，第２外周壁３１，４１は、互いの上端部において半径方向に重なり合う重合部２ｂを備えると共に、重合部２ｂの下方において互いの半径方向に離れる第１空間部２ａを備える。
第１空間部２ａは、第１，第２外周壁３１，４１が半径方向に離れ、第１，第２外底壁３２，４２が上下方向に離れていることから、底のある円筒状に形成されている。なお第１空間部２ａは負圧に、言い換えれば真空状態に形成されている。
重合部２ｂは、溶接加工によって一体となり、第１外周壁３１と第２外周壁４１の上端部同士を全周に亘って一体としたものである。つまり重合部２ｂは図２，３に示すように、半径方向に重なり合うもので、半径方向の外側を構成する外重合部３１ａが第１外周壁３１の上端部であり、半径方向の内側を構成する内重合部４１ａが第２外周壁４１の上端部である。
【００２３】
第２外周壁４１は、その上端部である内重合部４１ａ、重合部２ｂの下方において全周に亘って半径方向内側に突出する内向凸部４１ｂ、内向凸部４１ｂの下端の全周から下方へ延長する円筒状の第２外周壁本体４１ｃを備える。
【００２４】
第１外周壁３１は、その上端部である外重合部３１ａ、外重合部３１ａの下方において全周に亘って半径方向外側に突出する円環状の第１段部３１ｂ、第１段部３１ｂの外周の全周から下方に延長すると共に内容器５（後述の第１口壁５３）の半径方向内側に面状に重なり合う下地部３１ｃ、下地部３１ｃの下方において全周に亘って半径方向外側に突出する円環状の第２段部３１ｄ、第２段部３１ｄの外周の全周から下方に延長する第１外周壁本体３１ｅを備える。
【００２５】
第１外底壁３２は図１に示すように半径方向内側の中央部において上方に凹む底凹部３２ａを備える。底凹部３２ａは、第１外周壁３１の半径方向外側の部分に対して同心状に且つ円盤状に凹む第１底凹部３２ｂと、第１底凹部３２ｂの中央部において半球面状に凹む第２底凹部３２ｃとを備える。
【００２６】
底蓋８は図１に示すように第１底凹部３２ｂに嵌合するもので、第１底凹部３２ｂの深さよりも少し短く且つ第１底凹部３２ｂの半径に対応した寸法（同じか、僅かに長い寸法）の円筒状の短壁部８ａ、短壁部８ａの下端を塞ぐ平面視円形の底蓋本体８ｂを備える。
【００２７】
内容器５は図１に示すように単一壁構造であり、金属板を加工したもので、弾性を有する。また内容器５は、上下方向に延長する円筒状の内周壁５１、内周壁５１の下端を塞ぐと共に平面視円形の内底壁５２、内周壁５１の上端の全周から半径方向外側に張り出しながら下方へ延長する第１口壁５３を備える。
【００２８】
内周壁５１は図２，３に示すように、第１口壁５３の半径方向内側に位置すると共に第１口壁５３の上端の全周から下方に延長する第２口壁５１ａ、第２口壁５１ａの下端の全周から下方へ延長すると共に半径方向外側に突出する外向凸部５１ｂ、外向凸部５１ｂの下端の全周から下方へ延長する円筒状の内周壁本体５１ｃを備える。
【００２９】
第２口壁５１ａと外向凸部５１ｂとは内周壁５１の上部を構成する。そして内周壁５１の上部と第１口壁５３とは、パッキン７を収容する状態で外容器２に嵌り合う嵌合部５１ｄを形成する。
【００３０】
嵌合部５１ｄは、外向凸部５１ｂのうち最も半径方向外側の部位と第１口壁５３との半径方向の幅Ｗ１を、内向凸部４１ｂのうち最も半径方向内側の部位と下地部３１ｃとの半径方向の幅Ｗ２よりも狭くしてある。また嵌合部５１ｄは、外向凸部５１ｂのうち最も半径方向外側の部位における外径を、内向凸部４１ｂのうち最も半径方向内側の部位における内径よりも大きくしてある。
また嵌合部５１ｄは円環状で、その断面形状（詳しく言えば、上下方向へ切断した場合の片側断面の形状）を下方に開口するＵ字状とする。嵌合部５１ｄの内側に形成される空間部の深さは、第１口壁５３の下端から奥に達するまでの長さであるものとし、外容器２の重合部２ｂに嵌合したパッキン７の上端から下地部３１ｃの下端までの長さよりも充分に長くし、その深さによって嵌合部５１ｄは、下部に外容器２の上部を収容すると共に、外容器２の上部の上にパッキン７の体積よりも大きな空間部を形成する。そして当該大きな空間部の下側にパッキン７を半径方向の内外から挟む状態で収容し、当該大きな空間部の上部であってパッキン７の上方に上方空間部７ｓを備える。
【００３１】
外向凸部５１ｂは、内向凸部４１ｂの下側に互いの金属板の弾性により嵌合するものである。また外向凸部５１ｂは、その断面形状を外向きに突出するＶ字形状とし、Ｖ字形状の断面形状の上側を構成する外向上片５１ｓ、Ｖ字形状の断面形状の下側を構成する外向下片５１ｔを備える。
外向上片５１ｓは、上方から下方へ向かうにつれて半径方向外側へ延長する。外向下片５１ｔは、上方から下方へ向かうにつれて半径方向内側へ延長する。
また外向凸部５１ｂは第１口壁５３と半径方向に対向しており、上下方向の位置関係として、Ｖ字状の断面形状のうち最も半径方向外側の部位が第１口壁５３の下端よりも上方に位置する。
【００３２】
内向凸部４１ｂは、その断面形状を内向きに突出するＶ字形状とし、Ｖ字形状の断面形状の上側を構成する内向上片４１ｓ、Ｖ字形状の断面形状の下側を構成する内向下片４１ｔを備える。
内向上片４１ｓは、上方から下方へ向かうにつれて半径方向内側へ延長する。内向下片４１ｔは、上方から下方へ向かうにつれて半径方向外側へ延長する。
また内向凸部４１ｂは下地部３１ｃと半径方向に対向しており、上下方向の位置関係として、Ｖ字状の断面形状のうち最も半径方向内側の部位が下地部３１ｃの上端と下端の間に位置する。同様にＶ字状の断面形状のうち最も半径方向内側の部位が、下地部３１ｃに重なり合う第１口壁５３の下端よりも上側に位置する。
【００３３】
外向下片５１ｔと内向上片４１ｓは、内容器５を外容器２の内側に挿入するときに擦れ合うもので、挿入を容易にするために外向下片５１ｔと鉛直線とで形成される鋭角θ１を、内向上片４１ｓと鉛直線とで形成される鋭角θ２よりも小さくしてある。
また外向上片５１ｓと内向下片４１ｔは、内容器５と外容器２とが嵌合しているときに重なり合うもので、半径方向の突出長は、外向上片５１ｓに比べて、内向下片４１ｔの方が長く、それゆえ内向凸部４１ｂと外向凸部５１ｂとが十分に嵌合する。
【００３４】
内周壁本体５１ｃは、全体として下方へ向かうにつれて小径となる円筒状で、その外径は、全高において内向凸部４１ｂの最も半径方向内側の部位における内径よりも小さくしてある。
【００３５】
熱媒体６は、たとえば液体状の保冷剤（−２０℃〜−５℃の範囲で凍結又は解凍する性質を有するもの）を用いる。なお熱媒体６が収容される第２空間部６ａは、外容器２と内容器５の間であって重合部２ｂの下方に形成される。
【００３６】
パッキン７は、弾性変形するもの、たとえばゴム製である。またパッキン７は、円環状であり、その下面には半径方向の幅中央部に上方へ延びるスリット７ａを全周に亘って備える。スリット７ａの半径方向の幅は、重合部２ｂの半径方向の幅よりも少し狭く形成してある。
【００３７】
本考案の第一実施形態の飲料用容器１は、底蓋８以外を以下のように組み立てる。
１）外容器２の内側に熱媒体６を入れる。入れる量は、飲料用容器１を冷凍庫で冷やした時に熱媒体６が膨張することを考慮して、内容器５と外容器２の間の第２空間部６ａよりも少なくする。
２）外容器２の重合部２ｂにパッキン７を嵌合する。
３）内容器５を外容器２の内側に挿入する。
３−１）挿入するときには、まず内容器５の内周壁本体５１ｃ部が外容器２の内向凸部４１ｂの内側に挿入される。
３−２）次に内容器５の外向凸部５１ｂの外向下片５１ｔが、内向凸部４１ｂの最も半径方向内側の部分を擦りながら挿入され、このとき、外向下片５１ｔと鉛直線とで形成される鋭角θ１を、内向上片４１ｓと鉛直線とで形成される鋭角θ２よりも小さくしてあることから、内向凸部４１ｂの内側に外向下片５１ｔ（外向凸部５１ｂ）を挿入しやすくなる。
３−３）外向下片５１ｔが内向凸部４１ｂに挿入され始めた直後に、内容器５の第１口壁５３が外容器２の下地部３１ｃに重なり合い始める。また外向下片５１ｔが内向凸部４１ｂに深く挿入されるにつれて、パッキン７が第１口壁５３と第２口壁５１ａの間に挟まれながら弾性変形し始める。このとき、パッキン７は第１口壁５３と第２口壁５１ａとが連続する部分へ（嵌合部５１ｄの空間部の奥へ）向かって弾性変形する。
３−４）外向凸部５１ｂの最も半径方向外側の部分が内向凸部４１ｂの最も半径方向内側の部分よりも下方に挿入されると、外向凸部が内向凸部の下側に互いの弾性により嵌合し、外容器２と内容器５が一体化される。このとき、内容器５の第１口壁５３の下端は、外容器の第２段部３１ｄの上に載る状態となる。以上により第一実施形態の飲料用容器１は完成する。
【００３８】
第一実施形態の飲料用容器１は、外容器２の半径方向の内側において内向凸部４１ｂと外向凸部５１ｂが弾性により嵌合し、外容器２の半径方向の外側において第１口壁５３が重なり合っているので、外容器２を半径方向の内外から内容器５で挟んでいることになり、外容器２と内容器５の連結状態が強固なものとなる。
【００３９】
また下地部３１ｃおよび第１口壁５３が、内向凸部４１ｂの最も半径方向内側の部位よりも上方から、外向凸部５１ｂの最も半径方向外側の部位よりも下方にまで面状に重なり合っているので、外容器２と内容器５の連結状態がより強固なものとなる。
【００４０】
また内向凸部４１ｂの断面形状を内向きに突出するＶ字形状にし、しかも、外向凸部５１ｂの断面形状を外向きに突出するＶ字形状にしてあるので、外向凸部５１ｂが内向凸部４１ｂに入れやすく、且つ抜け難くなる。
【００４１】
また内容器５の嵌合部５１ｄが、その上部であってパッキン７の上方に上方空間部７ｓを備えるので、外容器２と内容器５を嵌合させるときにパッキン７が潰れやすくなり、パッキン７による外容器２と内容器５の密閉状態がより強固なものなり、熱媒体６が漏れにくくなる。
【００４２】
本考案は上記実施形態に限定されるものではなく、その趣旨を逸脱しない範囲において適宜変更可能である。
【符号の説明】
【００４３】
１  飲料用容器
２  外容器
２ａ  第１空間部
２ｂ  重合部
３  第１外容器
３１  第１外周壁
３１ａ  外重合部
３１ｂ  第１段部
３１ｃ  下地部
３１ｄ  第２段部
３１ｅ  第１外周壁本体
３２  第１外底壁
３２ａ  底凹部
３２ｂ  第１底凹部
３２ｃ  第２底凹部
４  第２外容器
４１  第２外周壁
４１ａ  内重合部
４１ｂ  内向凸部
４１ｃ  第２外周壁本体
４１ｓ  内向上片
θ２  内向上片と鉛直線とで形成される鋭角
４１ｔ  内向下片
Ｗ２  内向凸部のうち最も半径方向外側の部位と下地部との半径方向の幅
４２  第２外底壁
５  内容器
５１  内周壁
５１ａ  第２口壁
５１ｂ  外向凸部
５１ｃ  内周壁本体
５１ｄ  嵌合部
５１ｓ  外向上片
θ１  外向下片と鉛直線とで形成される鋭角
５１ｔ  外向下片
Ｗ１  外向凸部のうち最も半径方向内側の部位と第１口壁との半径方向の幅
５２  内底壁
５３  第１口壁
６  熱媒体
６ａ  第２空間部
７  パッキン
７ａ  スリット
７ｓ  上方空間部
８  底蓋
８ａ  短壁部
８ｂ  底蓋本体
【図１】
0003201853.tif 000003
【図２】
0003201853.tif 000004
【図３】
0003201853.tif 000005